(57)【要約】【課題】長期間の安置においても遺影表示部が色あせることなく、遺影表示部の落剥の危険の少ない遺影骨壺を提供する。【解決手段】遺骨を納める円筒形又は角柱形の壺本体と、該壺本体の上部開口部を覆う蓋と、前記壺本体の外側面の所定位置に接着される故人の遺影を陶板に焼き付けた遺影陶板と、からなる陶磁器製の骨壺であって、前記壺本体は、壺本体の外側面に、該壺本体外側面より窪んだ状態に形成された、前記遺影陶板が接着される遺影接着凹部が設けられ、前記遺影陶板は、前記遺影接着凹部の窪み深さと略同等の厚みを有し、前記壺本体の外側面と前記遺影接着凹部に接着された遺影陶板の表面とが略面一になるように形成されていることを特徴とする。【選択図】図１
2020005895.tif 000002
【特許請求の範囲】
【請求項１】
遺骨を納める円筒形又は角柱形の壺本体と、該壺本体の上部開口部を覆う蓋と、前記壺本体の外側面の所定位置に接着される故人の遺影を陶板に焼き付けた遺影陶板と、からなる陶磁器製の骨壺であって、
前記壺本体は、壺本体の外側面に、該壺本体外側面より窪んだ状態に形成された、前記遺影陶板が接着される遺影接着凹部が設けられ、
前記遺影陶板は、前記遺影接着凹部の窪み深さと略同等の厚みを有し、前記壺本体の外側面と前記遺影接着凹部に接着された遺影陶板の表面とが略面一になるように形成されていることを特徴とする遺影骨壺。
【請求項２】
前記遺影接着凹部の遺影陶板接着面及び前記遺影陶板の接着面がいずれも平板状に形成されていることを特徴とする請求項１に記載の遺影骨壺。
【請求項３】
前記遺影接着凹部の遺影陶板接着面及び前記遺影陶板の接着面がいずれも釉が塗られていない素焼き面に形成されていることを特徴とする請求項１又は２に記載の遺影骨壺。
【請求項４】
前記蓋の上表面に、該上表面上より窪んだ状態に形成された第２遺影接着凹部が設けられ、前記蓋の上表面と前記第２遺影接着凹部に接着された第２遺影陶板の表面とが略面一になるように接着されていることを特徴とする請求項１乃至３のいずれかに記載の遺影骨壺。
【請求項５】
前記壺本体の外側面の前記遺影接着凹部が設けられていない壺本体外側面に、該壺本体外側面より窪んだ状態に形成された、故人の情報が焼き付けられた情報陶板が接着される情報陶板接着凹部が設けられ、
前記情報陶板は、前記情報陶板接着凹部の窪み深さと略同等の厚みを有し、前記壺本体の外側面と前記情報陶板接着凹部に接着された前記情報陶板の表面とが略面一になるように形成されていることを特徴とする請求項１乃至５のいずれかに記載の遺影骨壺。
【請求項６】
前記情報陶板に焼き付けられた故人の情報が故人の遺伝子情報であることを特徴とする請求項５に記載の遺影骨壺。
【請求項７】
前記情報陶板に焼き付けられた故人の情報が、故人の各種情報を格納する記録媒体にアクセスするためのＩＤナンバーであることを特徴とする請求項５に記載の遺影骨壺。
【発明の詳細な説明】
【技術分野】
【０００１】
本発明は、故人の遺影を焼き付けた遺影陶板を接着した遺影骨壺に関する。
【背景技術】
【０００２】
従来、遺骨を納める骨壺は、耐久性に優れた陶磁器等の材料からできており、外装は無地又は花鳥図で飾られたものが一般的であり、遺骨を収納して蓋をし、墓や納骨堂等に長い年月にわたって安置されるものである。
【０００３】
このような骨壺は、外装に骨壺に納めた遺骨が誰のものかを識別するための仕様が施されておらず、油性のペンなどで蓋の裏などに故人の姓名や命日を記入したり、骨壺表面に写真プレートを貼り付けるなどの提案がなされている（例えば、特許文献１参照。）。
しかしながら、油性ペンなどの表示や特許文献１に記載された写真プレートを貼付した上に透明な樹脂を被着させる方法では、長期間の安置による劣化により表示が薄くなり故人の判別が難しくなるという問題があった。
【０００４】
長期間の安置により油性ペンや写真プレートの表示が薄くなることに対して、陶器の骨壺の表面に遺影を焼き付ける方法（例えば、特許文献２参照。）や、遺影を焼き付けた陶磁器プレートを骨壺に接着固定する方法（例えば、特許文献３参照。）が提案されている。
【０００５】
しかしながら、特許文献２の陶器の骨壺の表面に遺影を焼き付ける方法は、日本では生前より骨壺を用意することは忌み嫌われており、お亡くなりになられてからの骨壺作製では時間がかかるうえ、葬儀で用いた骨壺から遺影を焼き付けた骨壺への移し替えを要するという欠点があった。
【０００６】
また、特許文献３の遺影を焼き付けた陶磁器プレートを骨壺に接着固定する方法は、既存の骨壺に陶磁器プレートを貼り付けるため骨壺表面に出っ張りを形成するので、長期間の安置により接着剤が劣化すると骨壺の移動等の際に容易に落剥してしまうという問題を有していた。
【先行技術文献】
【特許文献】
【０００７】
【特許文献１】登録実用新案第３１２０９９９号公報
【特許文献２】公開実用新案平２−９６１２２号公報
【特許文献３】登録実用新案第３０９１３５５号公報
【発明の開示】
【発明が解決しようとする課題】
【０００８】
本発明は上記従来技術の問題点に鑑みてなされたものであって、本発明の目的は、長期間の安置においても遺影表示部が色あせることなく、遺影表示部の落剥が起こりにくい遺影骨壺を提供することにある。
【課題を解決するための手段】
【０００９】
上記目的を達成するためになされた本発明の一態様による遺影骨壺は、遺骨を納める円筒形又は角柱形の壺本体と、該壺本体の上部開口部を覆う蓋と、前記壺本体の外側面の所定位置に接着される故人の遺影を陶板に焼き付けた遺影陶板と、からなる陶磁器製の骨壺であって、前記壺本体は、壺本体の外側面に、該壺本体外側面より窪んだ状態に形成された、前記遺影陶板が接着される遺影接着凹部が設けられ、前記遺影陶板は、前記遺影接着凹部の窪み深さと略同等の厚みを有し、前記壺本体の外側面と前記遺影接着凹部に接着された遺影陶板の表面とが略面一になるように形成されていることを特徴とする。
【００１０】
前記遺影接着凹部の遺影陶板接着面及び前記遺影陶板の接着面がいずれも平板状に形成されていることが好ましい。
【００１１】
前記遺影接着凹部の遺影陶板接着面及び前記遺影陶板の接着面がいずれも釉が塗られていない素焼き面に形成されていることが好ましい。
【００１２】
前記蓋の上表面に、該上表面上より窪んだ状態に形成された第２遺影接着凹部が設けられ、前記蓋の上表面と前記第２遺影接着凹部に接着された第２遺影陶板の表面とが略面一になるように接着されていることが好ましい。
【００１３】
前記壺本体の外側面の前記遺影接着凹部が設けられていない壺本体外側面に、該壺本体外側面より窪んだ状態に形成された、故人の情報が焼き付けられた情報陶板が接着される情報陶板接着凹部が設けられ、前記情報陶板は、前記情報陶板接着凹部の窪み深さと略同等の厚みを有し、前記壺本体の外側面と前記情報陶板接着凹部に接着された前記情報陶板の表面とが略面一になるように形成されていることが好ましい。
【００１４】
前記情報陶板に焼き付けられた故人の情報が故人の遺伝子情報であることが好ましい。
【００１５】
前記情報陶板に焼き付けられた故人の情報が、故人の各種情報を格納する記録媒体にアクセスするためのＩＤナンバーであることが好ましい。
【発明の効果】
【００１６】
本発明の遺影骨壺によれば、遺影を陶板に焼き付けているので長期間の安置により劣化して表示が薄くなることがなく、骨壺本体と遺影を焼き付けた陶板を別途に作製するので遺骨を骨壺本体に納めた後で遺影陶板を貼り付けることができ、遺骨の詰め替えの手間がない。また、遺影陶板は、骨壺本体の外側面に設けられた壺本体外側面より窪んだ状態に形成された遺影接着凹部に接着されて、壺本体の外側面と遺影接着凹部に接着された遺影陶板の表面とが略面一になるように形成されており、長期間の安置により接着剤が劣化して骨壺の移動の際に陶板が落剥することが抑止されるので、故人の判別が難しくなるという問題がなくなる。
【図面の簡単な説明】
【００１７】
【図１】本発明の一実施形態による遺影骨壺の概略斜視図である。
【図２】図１の遺影骨壺の分解斜視図である。
【図３】本発明の他の実施形態による遺影骨壺の概略斜視図である。
【図４】本発明の更に他の実施形態による遺影骨壺の概略斜視図である。
【発明を実施するための形態】
【００１８】
以下、本発明の遺影骨壺を実施するための形態の具体例を、図面を参照しながら詳細に説明する。
図１は、本発明の一実施形態による遺影骨壺１の概略斜視図であり、図２は、図１の遺影骨壺１の分解斜視図である。
本実施形態の遺影骨壺１は、遺骨を納める円筒形又は角柱形の壺本体２と、壺本体２の上部開口部を覆う蓋３と、壺本体２の外側面の所定位置に接着される故人の遺影を陶板に焼き付けた遺影陶板４とからなる陶磁器製の骨壺である。
【００１９】
遺影陶板４は、陶磁器平板に故人の遺影を無機顔料で印刷、転写して焼き付け、その上に釉薬を掛けたものである。遺影陶板４には遺影のほかに戒名、俗名等を併せて焼き付けてもよい。
遺影陶板４は、壺本体２とは別途に作製される。骨壺を生前より用意しておくことは忌み嫌われる傾向にあるが、陶磁器板に顔写真を焼き付けたものであれば、ポートレートとして生前より準備しておくことができる。
また、別途に作製されることにより、遺骨を骨壺に納める段階で遺影陶板４が間に合わなくても、遺骨を骨壺に納めた後で壺本体２に遺影陶板４を貼り付けることができ、遺骨を移し替えることなく、法要や納骨の際に遺影陶板４が装着された遺影骨壺１を用いることができる。
【００２０】
遺影陶板４の遺影を焼き付けた面の反対面は、壺本体２への接着面となるが、当該接着面と壺本体２の接着面は、いずれも平板状に形成されていることが好ましく、釉薬が掛けられていない素焼き面に形成されていることが好ましい。
接着面を平板状にすることにより接着剤による接着強度が高められ、接着面を素焼き面にすることにより素焼き面に接着剤が浸透しアンカー効果を発揮するため、長期間安置されても遺影陶板４の落剥の可能性を減少させることができる。
【００２１】
遺骨を納める壺本体２には、壺本体２の外側面の一面に、遺影陶板４が接着される遺影接着凹部５が設けられている。
遺影接着凹部５は、遺影陶板４を嵌め込み可能な大きさで、壺本体２の外側面表面より窪んだ状態に形成される。遺影接着凹部５の窪みの深さは遺影陶板４の厚みと略同等に形成されており、遺影陶板４が接着されたとき、壺本体２の外側面表面と遺影接着凹部５に接着された遺影陶板４の表面とが略面一になる。
壺本体２の外側面表面と遺影陶板４表面を面一にして骨壺表面の出っ張りをなくすことにより、長期間の安置により接着剤の劣化が起こっても、納骨堂や墓での骨壺の移動の際に遺影陶板４の落剥の可能性が減少する。
【００２２】
遺影陶板４を接着する接着剤は、通常、陶磁器用のエポキシ接着剤が用いられるが、漆やシリコン系接着剤、石膏なども用いることができ、特に、漆による接着は耐久性に優れることから好ましい。
また、遺影陶板４と遺影接着凹部５の隙間にパテを施してもよい。パテ材としては、例えばエポキシパテや石膏、充填剤を練り込んだ漆材などを用いることができる。また、パテ材に顔料を混ぜ、壺本体２の外表面と色調を合わせるようにしてもよい。
【００２３】
図３は、本発明の他の実施形態による遺影骨壺６の概略斜視図である。本実施形態の遺影骨壺６は、蓋３の上表面に第２遺影接着凹部８を設け、第２遺影陶板７を設けるようにしたものである。
壺本体２の外側面に設けられた遺影陶板４に加え、蓋３の上表面に第２遺影陶板７を設けることにより、片方の遺影陶板が落剥しても、もう一つの遺影陶板が残るので、骨壺に入った遺骨の故人の判別が難しくなるという問題がなくなる。また、蓋３の上表面に遺影陶板が設けられているので、墓に納骨した場合など、納骨場所を上からのぞいただけで骨壺に納められた故人の遺骨が判別できる利点がある。
【００２４】
図４は、本発明の他の実施形態による遺影骨壺９の概略斜視図である。本実施形態の遺影骨壺９は、壺本体２の外側面の遺影接着凹部５が設けられていない一面に、情報陶板１０が接着される情報陶板接着凹部１１が設けられている。
情報陶板接着凹部１１は、情報陶板１０を嵌め込み可能な大きさで、壺本体２の外側面表面より窪んだ状態に形成される。情報陶板接着凹部１１の窪みの深さは情報陶板１０の厚みと略同等に形成されており、情報陶板１０が接着されたとき、壺本体２の外側面表面と情報陶板接着凹部１１に接着された情報陶板１０の表面とが略面一になる。
壺本体２の外側面表面と情報陶板１０表面を面一にして骨壺表面の出っ張りをなくすことにより、長期間の安置により接着剤の劣化が起こっても、納骨堂や墓での骨壺の移動の際に情報陶板１０の落剥の可能性が減少する。
【００２５】
情報陶板１０には、戒名、氏名、享年、命日、出身地等故人の履歴や生前の業績の他、故人の血液型や遺伝子のゲノム情報が記載されていることが望ましい。遺骨とともに遺伝子のゲノム情報が残されていることにより、幾代か後において民族の歴史的なつながりや動態を調べることの一助となる。
また、情報陶板１０に記載される情報は、故人の各種情報を格納する記録媒体にアクセスするためのＩＤナンバーであってもよい。故人の各種情報を格納する記録媒体が、寺社や納骨堂運営業者等により一括管理されれば、幾代か後の子孫が自己のルーツを探し出すことが容易になる。
【符号の説明】
【００２６】
１、６、９    遺影骨壺
２            壺本体
３            蓋
４            遺影陶板
５            遺影接着凹部
７            第２遺影陶板
８            第２遺影接着凹部
１０            情報陶板
１１            情報陶板接着凹部
【図１】
2020005895.tif 000003
【図２】
2020005895.tif 000004
【図３】
2020005895.tif 000005
【図４】
2020005895.tif 000006
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
遺骨を納める円筒形又は方形の壺本体と、該壺本体の上部開口部を覆う蓋と、前記壺本体の外側面の所定位置に接着される故人の遺影を陶板に焼き付けた遺影陶板と、からなる陶磁器製の骨壺であって、
前記壺本体は、壺本体の外側面に、該壺本体外側面より窪んだ状態に形成された、前記遺影陶板が接着される遺影接着凹部が設けられ、
前記遺影陶板は、前記遺影接着凹部の窪み深さと略同等の厚みを有し、前記壺本体の外側面と前記遺影接着凹部に接着された遺影陶板の表面とが略面一になるように形成され、
前記遺影接着凹部の遺影陶板接着面及び前記遺影陶板の接着面がいずれも釉が塗られていない素焼き面に形成されていることを特徴とする遺影骨壺。
【請求項２】
前記遺影接着凹部の遺影陶板接着面及び前記遺影陶板の接着面がいずれも平板状に形成されていることを特徴とする請求項１に記載の遺影骨壺。
【請求項３】
前記蓋の上表面に、該上表面上より窪んだ状態に形成された第２遺影接着凹部が設けられ、前記蓋の上表面と前記第２遺影接着凹部に接着された第２遺影陶板の表面とが略面一になるように接着されていることを特徴とする請求項１又は２に記載の遺影骨壺。
【請求項４】
前記壺本体の外側面の前記遺影接着凹部が設けられていない壺本体外側面に、該壺本体外側面より窪んだ状態に形成された、故人の情報が焼き付けられた情報陶板が接着される情報陶板装着凹部が設けられ、
前記情報陶板は、前記情報陶板接着凹部の窪み深さと略同等の厚みを有し、前記壺本体の外側面と前記情報陶板接着凹部に接着された前記情報陶板の表面とが略面一になるように形成されていることを特徴とする請求項１乃至３のいずれかに記載の遺影骨壺。
【請求項５】
前記情報陶板に焼き付けられた故人の情報が故人の遺伝子情報であることを特徴とする請求項４に記載の遺影骨壺。
【請求項６】
前記情報陶板に焼き付けられた故人の情報が、故人の各種情報を格納する記録媒体にアクセスするためのＩＤナンバーであることを特徴とする請求項４に記載の遺影骨壺。
【手続補正書】
【提出日】平成30年12月26日(2018.12.26)
【手続補正１】
【補正対象書類名】特許請求の範囲
【補正対象項目名】請求項１
【補正方法】変更
【補正の内容】
【請求項１】
遺骨を納める円筒形又は方形の壺本体と、該壺本体の上部開口部を覆う蓋と、前記壺本体の外側面の所定位置に接着される故人の遺影を陶板に焼き付けた遺影陶板と、からなる陶磁器製の骨壺であって、
前記壺本体は、壺本体の外側面に、該壺本体外側面より窪んだ状態に形成された、前記遺影陶板が接着される遺影接着凹部が設けられ、
前記遺影陶板は、前記遺影接着凹部の窪み深さと略同等の厚みを有し、前記壺本体の外側面と前記遺影接着凹部に接着された遺影陶板の表面とが略面一になるように形成され、
前記遺影接着凹部の遺影陶板接着面及び前記遺影陶板の接着面がいずれも釉が塗られていない素焼き面に形成され、
前記遺影陶板と前記遺影接着凹部の隙間にはパテが施されていることを特徴とする遺影骨壺。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
遺骨を納める円筒形又は方形の壺本体と、該壺本体の上部開口部を覆う蓋と、前記壺本体の外側面の所定位置に接着される故人の遺影を陶板に焼き付けた遺影陶板と、からなる陶磁器製の骨壺であって、
前記壺本体は、壺本体の外側面に、該壺本体外側面より前記遺影陶板を嵌め込み可能な大きさで窪んだ状態に形成された、前記遺影陶板が接着される遺影接着凹部が設けられ、前記遺影陶板は、前記遺影接着凹部の窪み深さと略同等の厚みを有し、前記壺本体の外側面と前記遺影接着凹部に接着された遺影陶板の表面とが略面一になるように形成され、
前記遺影接着凹部の遺影陶板接着面及び前記遺影陶板の遺影を焼き付けた面の反対面である接着面がいずれも平板状で釉薬が塗られていない素焼き面に形成され、前記遺影接着凹部の遺影陶板接着面及び前記遺影陶板の前記接着面には接着剤を配し、
前記遺影陶板と前記遺影接着凹部の隙間にはパテを施していることを特徴とする遺影骨壺。
【請求項２】
前記蓋の上表面に、該上表面上より窪んだ状態に形成された第２遺影接着凹部が設けられ、前記蓋の上表面と前記第２遺影接着凹部に接着された第２遺影陶板の表面とが略面一になるように接着されていることを特徴とする請求項１に記載の遺影骨壺。
【請求項３】
前記壺本体の外側面の前記遺影接着凹部が設けられていない壺本体外側面に、該壺本体外側面より窪んだ状態に形成された、故人の情報が焼き付けられた情報陶板が接着される情報陶板接着凹部が設けられ、
前記情報陶板は、前記情報陶板接着凹部の窪み深さと略同等の厚みを有し、前記壺本体の外側面と前記情報陶板接着凹部に接着された前記情報陶板の表面とが略面一になるように形成されていることを特徴とする請求項１又は２に記載の遺影骨壺。
【請求項４】
前記情報陶板に焼き付けられた故人の情報が故人の遺伝子情報であることを特徴とする請求項３に記載の遺影骨壺。
【請求項５】
前記情報陶板に焼き付けられた故人の情報が、故人の各種情報を格納する記録媒体にアクセスするためのＩＤナンバーであることを特徴とする請求項３に記載の遺影骨壺。